(57)【要約】【課題】ユーザが省電力モードから復帰したと判断してからキー操作をしても、そのキー操作が無効になってしまう問題を解決し、使い勝手を向上させた画像処理装置を提供する。【解決手段】所定の指令信号を検出すれば、省電力機能によって中断された本体システムおよびサブシステムへの電源供給を再開させるための復帰処理を実行する電力制御部を備えており、サブシステムは、制御コマンドを記憶する記憶部と、復帰処理によって該サブシステムへの電源供給が再開されたときには該サブシステムを初期化し、その後、本体システムの初期化が終了するまでは、外部から受け付けた制御コマンドは記憶部に蓄積して、本体システムへの伝送が可能となったときに本体システムに伝送させる制御部とを備えている。【選択図】図１
2009265796.tif 000002
【特許請求の範囲】
【請求項１】
電源部と、本体システムと、外部から制御コマンドを受け付けて前記本体システムに伝送するサブシステムと、所定の指令信号を検出すれば、前記省電力機能によって中断された前記本体システムおよび前記サブシステムへの電源供給を再開させるための復帰処理を実行する電力制御部とで構成され、前記電源部による前記本体システムと前記サブシステムとへの電源の供給を中断する省電力機能を有した画像処理装置であって、
前記サブシステムは、前記制御コマンドを記憶する記憶部と、
前記復帰処理によって該サブシステムへの電源供給が再開されたときには該サブシステムを初期化し、その後、前記本体システムの初期化が終了するまでは、外部から受け付けた制御コマンドは前記記憶部に蓄積して、前記本体システムへの伝送が可能となったときに前記本体システムに伝送させる制御部とを備えている画像処理装置。
【請求項２】
請求項１において、
前記サブシステムは、操作部を更に備えており、前記操作部のキー操作を前記制御コマンドとして受け付ける画像処理装置。
【発明の詳細な説明】
【技術分野】
【０００１】
本発明は、本体システムと、外部から制御コマンドを受け付けて本体システムに伝送するサブシステムとからなる基本構成を有した画像処理装置に関する。
【背景技術】
【０００２】
上記のような基本構成からなる画像処理装置の例は、例えば次の特許文献１に記載がある。すなわち、そこに記載されている画像処理装置は、システム本体と操作パネルサブシステムとを備えた構成とされ、省電力モードになると、システム本体の電源と操作パネルサブシステムの電源との両方をオフにすることが記載されている。
【特許文献１】特開平１１−００７３４３号公報
【発明の開示】
【発明が解決しようとする課題】
【０００３】
しかしながら、操作パネルのキー操作によって省電力モードから復帰する場合、操作パネルサブシステムの初期化が完了しても、システム本体の初期化が完了してないことが多い。これは、システム本体が印字部あるいは読取部等、初期化に時間を要する機構部を備えているためである。システム本体の初期化が完了していない場合には、たとえ操作パネルでキー操作をしても、その操作内容をシステム本体に伝送できない。そこで、従来の構成では、本体システムの初期化が完了するまではキー操作を受け付けず、本体システムの初期化の完了を確認してから、はじめてキー操作を受け付けるようにしていた。
【０００４】
そのためユーザが省電力モードから復帰したと判断してからキー操作をしても、そのキー操作が無効になってしまうことがあり、使い勝手を悪くしていた。
本発明は、そのような問題を解決し、使い勝手を向上させた画像処理装置の提供を目的としている。
【課題を解決するための手段】
【０００５】
上記課題を解決するため、本発明は、電源部と、本体システムと、外部から制御コマンドを受け付けて前記本体システムに伝送するサブシステムと、所定の指令信号を検出すれば、前記省電力機能によって中断された前記本体システムおよび前記サブシステムへの電源供給を再開させるための復帰処理を実行する電力制御部とで構成され、前記電源部による前記本体システムと前記サブシステムとへの電源の供給を中断する省電力機能を有した画像処理装置において、前記サブシステムは、前記制御コマンドを記憶する記憶部と、前記復帰処理によって該サブシステムへの電源供給が再開されたときには該サブシステムを初期化し、その後、前記本体システムの初期化が終了するまでは、外部から受け付けた制御コマンドは前記記憶部に蓄積して、前記本体システムへの伝送が可能となったときに前記本体システムに伝送させる制御部とを備えている。ここに、前記指令信号は、例えば、省電力モード解除キーの操作による信号、タイマ等による信号等が考えられる。
【０００６】
また、前記サブシステムは、操作部を更に備えており、前記操作部のキー操作を前記制御コマンドとして受け付ける構成としてもよい。
【発明の効果】
【０００７】
本発明では、画像処理装置が省電力モードから復帰するため、サブシステムへの電源供給が再開されると、サブシステムの制御部はまずサブシステムを初期化し、その後、受け付けた制御コマンドを本体システムに伝送できるまで記憶部に蓄積して、該伝送が可能となってから本体システムに伝送させるので、本体システムの初期化が完了するより前に受け付けた制御コマンドが本体システムに確実に伝送される。従って、従来よりも早い時点で制御コマンドの受け付けが可能であり、操作感が向上する。なお、制御コマンドには、動作条件を設定するためのコマンドや、所定のジョブを実行させるためのコマンドがある。
【０００８】
特に、サブシステムが操作部を備え、操作部のキー操作を制御コマンドとして受け付ける構成では、省電力モードから復帰した直後のキー操作が本体システムに確実に伝送されるので、操作部の操作性が向上する。
【発明を実施するための最良の形態】
【０００９】
本発明は、各種画像処理装置、例えばプリンタ装置、スキャナ装置、コピー装置、ファクシミリ装置、およびそれらの機能を統合した複合機等に適用でき、画像処理装置の種別に特段の制限はない。以下、本発明の実施例を図に従って説明する。
【００１０】
図１は、本発明の思想を説明するため抽象化した画層処理装置の構成を示したブロック図である。つまり、特定の機能を有した画像処理装置を例示したものではなく発明思想に沿う形で、各種画像処理装置を一般化し単純化して示している。
【００１１】
画像処理装置１は、基本的には、装置各部に電源を供給する電源部１１と、本体システム１２と、外部から制御コマンドを受け付けて本体システム１２に伝送するサブシステム１３とで構成されている。
【００１２】
そして、発明の前提条件となる省電力機能として、電源部１１による本体システム１２とサブシステム１３とへの電源の供給を中断する機能を有している。また、この省電力機能によって中断された前記本体システムおよび前記サブシステムへの電源供給を再開させるために、常に電源が供給され復帰処理を実行する電力制御部１４を更に備えている。
【００１３】
電源部１１は、電力制御部１４に対しては常に電源を供給するが、本体システム１２およびサブシステム１３に対しては、電力制御部１４の制御に従って、電源を供給し、またその供給を中断する構成になっている。この電源の供給、中断によって省電力を実現している。しかしながら、ファクシミリ装置等では、省電力モード中であっても、ファクシミリ受信し、また受信した画像データを保持する必要があるので、そのような省電力モード中にも作動させるべき部分に対しては常に電源を供給する。
【００１４】
本体システム１２は、制御部１２ａと画像処理部１２ｂとで構成されている。
制御部１２ａは、画像処理部１２ｂを制御して所定の画像処理を実行させる一方、サブシステム１３とデータ通信して、サブシステム１３から各種制御コマンドを受け付ける。制御コマンドには、例えば、動作条件を設定するためのコマンドや、所定のジョブを実行させるためのコマンドがある。
【００１５】
画像処理部１２ｂは、所定のジョブを実行する機構部と、それに付随する電子回路等からなる。例えば、プリンタ装置であれば、印字すべき画像を保持する画像メモリ、記録紙を搬送する搬送機構、記録紙に画像を印字する印字機構、搬送制御回路、印字制御回路等である。
【００１６】
サブシステム１３は、制御部１３ａと、例えばキーパッドからなる操作部１３ｂと、液晶パネルからなる表示部１３ｃと、自由に書き換え可能なメモリからなる記憶部１３ｄとで構成されている。
【００１７】
制御部１３ａは、操作部１３ｂ、表示部１３ｃを制御して、操作部１３ｂのキー操作を受け付け、そのキー操作に対応した情報を表示部１３ｃに表示すると共に、本体システム１２とデータ通信して、操作部のキー操作を解読した情報を本体システム１２に伝送する。このキー操作を解読した情報は、装置を制御するための上記制御コマンドであり、記憶部１３ｄは、その制御コマンドを一時的に記憶するために設けられている。
【００１８】
なお、本体システム１２の制御部１２ａ、サブシステムの制御部１３ａは、例えば、論理演算回路、自由に書換可能なメモリ、シリアル通信回路等をワンチップに集積したマイクロコントローラで構成できるが、その場合には、シリアル通信によって、本体システム１２とサブシステム１３とのデータ通信を簡単に実現できる。
【００１９】
電力制御部１４は、省電力モードを解除するための省電力モード解除キー１５を備えている。この省電力モード解除キー１５は、操作部１３ｂと併設されていてもよい。
【００２０】
電力制御部１４は、例えば操作部１３ｂで、省電力モードにするための所定の操作がなされた場合、あるいは、操作部１３ｂが全く操作されない状態が所定時間続いた場合には、タイマ等によってそれを検知し、電源部１１による本体システム１２とサブシステム１３とへの電源の供給を中断させて省電力モードにする。一方、省電力モード中に省電力モード解除キー１５が操作された場合には、その操作によって生じる所定の指令信号に基づいて、本体システム１２およびサブシステム１３を省電力モードから復帰させるためにそれらへの電源供給を再開させる。この電力供給の再開により、省電力モードが解除されて、本体システム１２の制御部１２ａは、本体システム１２の初期化を開始し、また、サブシステム１３の制御部１３ａは、サブシステム１３の初期化を開始する。なお、電力制御部１４は、予めセットされた時刻になる、あるいは外部機器から所定の信号を受ける等のイベントによって、本体システム１２およびサブシステム１３への電源供給を再開させるようにしてもよい。
【００２１】
ここで従来の構成であれば、本体システム１３は、画像処理部１２ｂ、特に印字機構の予熱、あるいは読取機構の光源点灯等を必要とするため初期化に時間を要するから、サブシステム１３の初期化が完了しても、本体システム１２の初期化は完了していない場合がある。そして、当然ながら、このタイムラグの期間にサブシステム１３の操作部１３ｂで操作を受け付けたとしても、その操作に対応した制御コマンドは本体システム１２に伝送できない。そのため、従来は、本体システム１２とのデータ通信が可能になるまで、操作部１３の操作を受け付けない構成にされており、使い勝手が悪かった。
【００２２】
本発明は、この問題を解決した構成を提案するものであり、具体的には、電力制御部１４の復帰処理によってサブシステム１３への電源供給が再開されたときには、サブシステム１３の制御部１３ａは、サブシステム１３を初期化し、その後、受け付けた制御コマンドを本体システム１２に伝送できるまで記憶部１３ｄに蓄積しておき、その後伝送が可能となってから本体システム１２に伝送させるようにしている。
【００２３】
図２は、省電力モードから復帰する際のサブシステム１３の制御部１３ｂによる制御の基本手順を示したフローチャートである。
【００２４】
この手順では、サブシステム１３への電源供給が再開されると、制御部１３ａはまずサブシステム１３の全体を初期化する（ステップ１０１）。
その初期化が完了した後は、操作部１３ｂのキー操作を監視し、キー操作があれば解読して対応した制御コマンドを生成して記憶部１３ｄに記憶する（ステップ１０２、１０３）。このとき、キー操作に対応した情報を表示部１３ｃに表示させてもよい。
次いで、システム本体１２とのデータ通信を試行することによって、通信が可能であるか否かを判断する。ここでまだデータ通信が可能になっていない場合は、操作部１３ｂのキー操作監視する処理に戻るが、データ通信が可能になっていれば、以下の通常モードの処理を実行する（ステップ１０４）。
すなわち、記憶部１３ｄに制御コマンドを記憶しているか否かを判断し、記憶していれば、その制御コマンドをシステム本体１２に伝送する。なお、それによって伝送し終えた制御コマンドは記憶部１３ｄから消去する。なお、システム本体１２は、伝送されてきた制御コマンドに基づいて、動作条件を設定し、あるいは所定のジョブを実行する。また、サブシステム１３は、システム本体１２から返信されてくる応答信号を解読して、対応した情報を表示部１３ｃに表示する（ステップ１０５、１０６）。
その後、また操作部１３ｂのキー操作を監視し、キー操作があれば解読して対応した制御コマンドを生成して記憶部１３ｄに記憶する（ステップ１０７、１０８）。そして、記憶部１３ｄに制御コマンドを記憶しているか否かを判断し、記憶していれば、その制御コマンドをシステム本体１２に伝送する処理に戻る。
【００２５】
本発明は、上記の構成により、省電力モードから復帰した直後のキー操作が本体システム１２に確実に伝送されるので、操作部１３ｂの操作性が向上する。
【図面の簡単な説明】
【００２６】
【図１】本発明による画像処理装置の概略構成を示したブロック図である。
【図２】省電力モードから復帰する際の、サブシステムの制御の基本手順を示したフローチャートである。
【符号の説明】
【００２７】
１      画像処理装置
１１    電源部
１２    本体システム
１３    サブシステム
１３ａ  制御部
１３ｂ  操作部
１３ｄ  記憶部
１４    電力制御部
【図１】
2009265796.tif 000003
【図２】
2009265796.tif 000004